(57)【要約】送信コイル（６）及び受信コイル（８）を有するプローブ（４）を用いて異常（１５、２０）の存在を検出するための導電性物体（２）の検査方法において、（ａ）該物体（２）の近い表面（１２）上に１組の検査すべき点を選択する工程、（ｂ）該組から最初の検査点を選択する工程、（ｃ）該選択された検査点にプローブ（４）を置き、前記物体中に渦電流を誘導し、次いで該渦電流により発生した電磁場の特性値Φを測定する工程、（ｄ）前記組から次の検査点を選択し、全ての検査点について順番が回ってくるまで工程（ｃ）を繰り返す工程、及び（ｅ）特性値Φが標準と有意に異なる時は、検査点に異常が存在するものと推定する工程を含む前記方法。
2004507734.tif 000002
【特許請求の範囲】
【請求項１】
導電性物体中に渦電流を誘導する送信コイルと、少なくとも１つの受信器を有し、磁場の強度又は磁場の強度変化を指示する信号を供給する受信システムとを備えたプローブを用いて異常の存在を検出するための導電性物体の検査方法において、
（ａ）前記物体の近い表面上に１組の検査すべき点を選択する工程、
（ｂ）該組から最初の検査点を選択する工程、
（ｃ）該選択された検査点に前記プローブを置き、前記物体中に一時的な渦電流を誘導し、次いで前記受信器の信号の振幅に関する特性値Φを測定する工程、
（ｄ）前記組から次の検査点を選択し、全ての検査点について順番が回って来るまで工程（ｃ）を繰り返す工程、及び
（ｅ）特性値Φが標準と有意に異なるときは、検査点に異常が存在するものと推定する工程
を含む前記方法。
【請求項２】
前記受信システムが単独の受信器からなり、前記特性値Φを測定する工程が、該受信器の信号の記録Ｖ（ｔ）を作って、平均振幅
【数１】
2004507734.tif 000007
（但し、ｔ０ は初期時間であり、Δは試料間隔であり、またｎは該求和に含まれる試料の数である）
を測定する工程を含む請求項１に記載の方法。
【請求項３】
前記プローブが少なくとも２つの隔離された受信器を有し、かつ工程（ｃ）が、該プローブを前記選択された検査点に置き、前記物体中に渦電流を誘導し、次いで電磁場の勾配に関する特性値Φを測定する工程である請求項１に記載の方法。
【請求項４】
前記物体での渦電流の誘導が該物体での一時的な渦電流の誘導であり、かつ特性値を測定する工程が、経時に従って各受信器の信号〔但し、Ｖｕ （ｔ）は時間（ｔ）経過時の第一受信器の信号であり、またＶ１ （ｔ）は時間（ｔ）経過時の第二受信器の信号である〕を記録し、次いで特性値
【数２】
2004507734.tif 000008
（但し、ｔ０ は初期時間であり、Δは試料間隔であり、またｎは該求和に含まれる試料の数である）
を測定する工程からなる請求項３に記載の方法。
【請求項５】
前記受信システムが受信コイルからなり、前記信号が渦電流の変化を表示し、かつＶが受信コイル端部の電圧である請求項２に記載の方法。
【請求項６】
前記受信システムが第一受信コイルと、該第一受信コイルとは隔離された第二受信コイルとからなり、前記信号が渦電流の変化を表示し、かつＶ１ 及びＶ２ がそれぞれ第一受信コイル及び第二受信コイル端部の電圧である請求項３又は４に記載の方法。
【発明の詳細な説明】
【０００１】
本発明は、異常（ａｎｏｍａｌｙ）の存在を検出するための導電性物体の検査方法に関する。この方法では、該物体中に渦電流を誘導する送信コイルと、少なくとも１つの受信器を有し、磁場の強度又は磁場の強度変化を指示する信号を供給する受信システムとを備えたプローブが使用される。
【０００２】
本発明に従って好適に検査可能な物体の具体例は、該物体の厚さよりも大きい曲率半径を有するパイプ又は容器のような容器手段の金属板又は壁である。導電材料は、いかなる導電材料、例えば炭素鋼又はステンレス鋼であってもよい。
物体の厚さの局部的減少、例えば腐食による厚さの減少で異常は起こり得る。
【０００３】
ヨーロッパ特許明細書第３２１１１２号は、物体中に渦電流を誘導する送信コイルと、磁場の強度変化を指示する信号を供給する受信システムとを有するプローブを用いて容器壁手段の厚さを測定する方法を開示している。この公知方法は、物体中に一時的な渦電流を誘導し、この渦電流を指示する信号を受信し、次いで、受信した信号の経時による減衰を既知の壁厚さを指示する参照減衰と比較するというもので、これにより容器手段の壁部分の厚さを推定できる。
【０００４】
本発明の目的は、異常を突き止めるための物体の改良検査方法を提供することである。他の目的は、現在の検査方法よりも速く、しかも物体での電磁特性の変化に影響され難い検査方法を提供することである。
【０００５】
この目的のため本発明の検査方法は、導電性物体中に渦電流を誘導する送信コイルと、少なくとも１つの受信器を有し、磁場の強度又は磁場の強度変化を指示する信号を供給する受信システムとを備えたプローブを用いて異常の存在を検出するための導電性物体の検査方法において、
（ａ）前記物体の近い表面上に１組の検査すべき点を選択する工程、
（ｂ）該組から最初の検査点を選択する工程、
（ｃ）該選択された検査点に前記プローブを置き、前記物体中に一時的な渦電流を誘導し、次いで前記受信器の信号の振幅に関する特性値Φを測定する工程、
（ｄ）前記組から次の検査点を選択し、全ての検査点について順番が回ってくるまで工程（ｃ）を繰り返す工程、及び
（ｅ）特性値Φが標準と有意に異なる時は、検査点に異常が存在することを推定する工程
を含む。
【０００６】
プローブは、少なくとも２つの隔離された受信器を有するのが好適である。この場合、工程（ｃ）は、プローブを前記選択された検査点に置き、前記物体中に渦電流を誘導し、次いで前記電磁場の勾配に関する特性値Φを測定する工程からなる。
【０００７】
【実施例】
本発明を添付図面について例示により更に詳細に説明する。
図１は、本発明の第一実施態様を示す。
図２は、プローブの位置の関数としての特性値の記録を示す。
図３ａは、異常のない物体中に発生した渦電流を概略的に示す。
図３ｂは、小さい異常を有する物体中に発生した渦電流を概略的に示す。
図３ｃは、大きな異常を有する物体中に発生した渦電流を概略的に示す。
また図４は、物体に沿った位置の関数としてのリフトオフ（ｌｉｆｔ−ｏｆｆ）を示す図である。
【０００８】
図１について述べると、導電材料の物体は参照符号２で示し、またプローブは参照符号４で示した。プローブ４は、電磁場を送信する送信コイル６及び受信器８を有する。
送信コイル６は、該送信コイルを付勢する装置（図示せず）に接続し、また受信システムは該受信システムからの信号を記録する装置（図示せず）に接続している。
【０００９】
プローブ４と近い表面１２間の距離はＬで示し、プローブ４と物体２間の空間は例えば近い表面１２を覆う絶縁層（図示せず）で充填されている。距離Ｌはリフトオフとも呼ばれる。
物体２は、参照符号１５で示した近い表面１２に１つの異常と、参照符号２０で示した遠い表面１８に第二の異常との２つの異常を持っている。
【００１０】
通常の操作中、プローブ４は近い表面１２沿いに距離Ｌだけ離れて移動し、多数の検査点で検出を行う。
検出を行うため、プローブ４は前記組の検査点の中の最初の検査点に置く。送信コイル６を活性化することにより、物品中に渦電流を誘導し、この渦電流により発生した電磁場の特性値Φを測定する。次いで、プローブ４を次の検査点に置き、物体中に渦電流を誘導した後、この渦電流により発生した電磁場の特性値Φを測定する。この方法を全ての検査点について順番が回って来るまで繰り返す。
次に、特性値Φが標準と有意に異なる時は、検査点に異常が存在するものと推定する。
【００１１】
図２は、物体２に沿ったプローブの位置の関数としての特性値を示す図である。特性値は、線部分２５、２６、２７に見られるように、異常の不存在下では一定である。曲線３０、３１では異常１５、２０を発見することができる。
物体中に一時的な渦電流を誘導するには、送信コイル６を付勢した後、急激に付勢を解除する。特性値は、受信器での信号の記録Ｖ（ｔ）を作り、次いで平均振幅
【数３】
2004507734.tif 000003
（但し、ｔ０ は初期時間であり、Δは試料間隔であり、またｎは該求和に含まれる試料の数である）
を測定することにより測定する。
【００１２】
プローブ４は、第一受信器８とは隔離された第二受信器４０を有するのが好適である。受信器４０と受信器８間の距離は、リフトオフのオーダーであり、好適にはリフトオフの０．１〜０．５倍である。この場合、一時的な渦電流についての特性値の測定は、経時に従って各受信器の信号〔但し、Ｖｕ （ｔ）は時間（ｔ）経過時の第一受信器の信号であり、またＶ１ （ｔ）は時間（ｔ）経過時の第二受信器の信号である〕を記録し、次いで特性値
【数４】
2004507734.tif 000004
（但し、ｔ０ は初期時間であり、Δは試料間隔であり、またｎは該求和に含まれる試料の数である）
を測定する工程からなる。
【００１３】
本発明による方法が小さな異常（又は欠陥）を検出できる理由を説明するため、図３ａ〜３ｃについて述べる。図３は、物体３５で発生した渦電流を示す。簡略化のため、渦電流は１つだけ示した。渦電流３６は、物体３５の近い表面３７に平行な平面内を循環する。十字は、渦電流が図面の平面内に走行することを意味し、点は、渦電流が図面の平面の中から出て来ることを意味する。試験中に特性値を測定すると、渦電流は遠い表面３８に向かって拡散し、その大きさは減少する。公知の方法は、渦電流が遠い表面３８に達するまでの時間に依存するのに対し、本発明方法は特性値Φに依存する。特性値Φは、リフトオフＬ及び渦電流の半径Ｒの関数である。
【００１４】
図３ａは異常のない物体３５を示す。両方法とも同じ結果を与える。図３ｂは、小さい異常３９ａを持った物体３５を示す。同じプローブ配列（図示せず）及びリフトオフにより、小さい異常３９ａの周りに整列するように渦電流３６が発生する。渦電流３６が、近い表面３７から出発し、したがって渦電流が遠い表面３８に達するまでの時間に依存する方法では、異常３９ａは検出されない。しかし特性値Φは渦電流の半径に依存するので、本発明方法では異常３９ａは必ず検出される。完全を期するため、図３ｃで示した比較的大きい異常３９ｂの場合、渦電流が遠い表面３８に達するまでの時間に依存する方法は、厚さの減少を示すのに対し、本発明方法はリフトオフの増大を示す。
【００１５】
本発明方法の結果を説明するため、図４について述べる。図４は、物体に沿ったプローブの位置Ｘの関数としての任意単位の特性値Φを示す。曲線４０は、実際の欠陥の輪郭（ｐｒｏｆｉｌｅ）を示す。この輪郭は、近い表面に深さ２ｍｍの欠陥を持った公称厚さ１５ｍｍの平坦な物体上に５０ｍｍ離してプローブを通過させた時に期待されるリフトオフである。これに対し曲線４１は、プローブの位置の関数としての特性値を示す。この特性値は、２つの受信コイルを有するプローブにより６〜４０ｍｓの時間（ｔｉｍｅｓ）をかけて測定したものである。
【００１６】
欠陥は明瞭に見られる。比較のため、物体の厚さを従来のパルス化渦電流技術を用いて測定した。この場合、渦電流が遠い表面に拡散する時間を用いて壁厚さを測定した。ダッシュライン４２は、プローブの位置の関数としての任意単位の厚さであり、異常が検出されないことが理解できる。図４から、特性値は、平坦で邪魔のない物体におけるリフトオフの尺度となるが、異常によって、特性値に真のリフトオフよりも大きな変化が生じると結論できる。
【００１７】
近い表面で異常を検出するのに本発明方法は迅速である。これは受信した信号の最初のミリ秒が近い表面での異常を検出するのに充分な情報を含むからである。これに対し、公知の方法は、約４０〜１００ミリ秒かけて渦電流を遠い側の表面に拡散する必要がある。したがって公知の方法は、少なくとも約４０〜１００ミリ秒を要して、始めて欠陥を検出できる。
渦電流が遠い表面に拡散した時にだけ異常が検出できるので、検出する必要のある異常が遠い表面にある場合は本発明の利点はなくなることが理解されよう。これは実験的に証明されている。
【００１８】
図１に示すようなプローブ４の実施態様では、受信器８、４０は、一方を他方の上に垂直方向に、即ち物体５の近い表面１５に対し垂直に配置する。他の実施態様（図示せず）では、これら受信アンテナ手段は、水平方向、即ち近い表面１２に対し平行に隔離される。この場合は、開放端部が物体に向いたＵ形フェライトコアを用いると、特に有効である。Ｕ形フェライトコアは両脚に送信コイル及び受信コイルを有し、更にＵ形フェライトコアの次に第二受信コイルが配置されている。
【００１９】
絶縁下の腐食は近い表面で起こるので、絶縁下の腐食の検査に極めて好適に使用できる。信号の最初のミリ秒を用いて遠い表面の効果を必ず濾別するばかりでなく、この方法を迅速に行うことができる。従来の渦電流方法では約２０ｍ／時間で検査できるのに対し、本発明方法は１００ｍ／時間よりも速い速度で検査できる。
【００２０】
本発明は、従来の方法に比べて別の利点を有する。従来の渦電流方法は、渦電流が遠い表面に達するまでの時間の測定に依存している。壁の厚さは、この時間と渦電流が材料内を進行する速度との積である。後者の速度は、材料の導電率及び透磁率に依存する。これらの性能は、試料の温度や、炭素鋼のような強磁性体では材料のミクロ構造に依存する。導電率及び透磁率が炭素鋼上で１つの位置から次の位置までに著しく変化するのがしばしば見られる。その結果、渦電流が材料内を進行する速度は、炭素鋼試験片上で１つの位置から次の位置まで変化する。これにより、前記時間に変化が起こるので、従来のパルス化渦電流方法は、壁厚の変化による変動と識別できない。この現象により、炭素鋼物体に適用した場合、従来法の信頼性は限定される。本発明方法では、渦電流が材料内を進行する速度の変化は無関係である。したがって本発明方法は、炭素鋼試験片に適用するのに従来法よりも一層好適である。
【００２１】
絶縁下の腐食は、絶縁材料で覆ったパイプで起こる。この絶縁材料は、通常、雨に対しては金属カバーで保護されている。この金属カバーは、“ジャケット”と云われる。ジャケットはアルミニウム又は鋼製であることが多く、厚さは約０．７ｍｍである。ジャケットは、通常、長さ１ｍの断片で適用される。水の進入に対しては、２つのジャケット断片を部分的に重ね合わせることにより防止している。ジャケットは、渦電流技術による検査中、除去する必要はない。まず概略すると、ジャケットの効果は、受信した信号でΔｔの遅れがある。即ち、信号がジャケットなしでｓ（ｔ）ならば、ジャケット付き信号では約ｓ（ｔ−Δｔ）となる。Δｔの大きさは、ジャケット付き信号ではジャケット断片に沿って変化し、ジャケットの重なり近くではΔｔは中央部の値に比べて大きい。シフトΔｔの変化は、従来のパルス化渦電流方法に影響を与える。即ち、Δｔの変化は、鋼の測定厚のスプリアス変化として現われる。出願人は、本発明方法が２つの受信器を用いると、金属ジャケットの存在に影響され難いことを見い出した。理由は、特性値Φが時間ｔ：
【数５】
2004507734.tif 000005
〔但し、
【数６】
2004507734.tif 000006
（式中、τ＝ｔ又はτ＝ｔ−Δｔ）〕
に殆ど依存しないことを実験的に見い出したからである。
【００２２】
明細書及び特許請求の範囲で使用した標準という語句は、異常が不存在下での特性値の期待される大きさである。
明細書及び特許請求の範囲での有意差は、統計上の有意差、例えば標準偏差を越えた差である。
図面について討議した受信器はコイルであり、また受信器からの信号は、磁場強度の時間による変化を表す。或いは、受信器はホール効果変換器であってもよい。受信器がホール効果変換器である場合、或いはコイルからの複数の信号が統合される場合、これらの信号は磁場の強度を指示する。
【００２３】
受信器がコイルの場合、直径は好適にはリフトオフのオーダーであり、更に好適にはリフトオフの０．１〜０．９倍である。
受信器８、４０は、一方を他方の上に垂直方向、即ち物体２の近い表面１２に対し垂直に配置される。他の実施態様（図示せず）では、これら受信アンテナ手段は、水平方向、即ち近い表面１２に対し平行に隔離される。この場合は、開放端部が物体に向いたＵ形フェライトコアを用いると、特に有用である。Ｕ形フェライトコアは両脚に送信コイル及び受信コイルを有し、更にＵ形フェライトコアの次に第二受信コイルが配置される。
【図面の簡単な説明】
【図１】本発明の第一実施態様を示す。
【図２】プローブの位置の関数としての特性値の記録を示す。
【図３】図３ａは、異常のない物体中に発生した渦電流を概略的に示し、図３ｂは、小さい異常を有する物体中に発生した渦電流を概略的に示し、図３ｃは、大きな異常を有する物体中に発生した渦電流を概略的に示す。
【図４】物体に沿った位置の関数としてのリフトオフを示す図である。
【符号の説明】
２‥‥導電性物体
４‥‥プローブ
６‥‥送信コイル
８‥‥受信コイル
１２‥‥物体２の近い表面
１５、２０‥‥異常
１８‥‥物体２の遠い表面
４０‥‥第二受信器
Ｌ‥‥リフトオフ
Ｒ‥‥渦電流の半径
【図１】
2004507734.tif 000009
【図２】
2004507734.tif 000010
【図３】
2004507734.tif 000011
【図４】
2004507734.tif 000012
【国際公開パンフレット】
2004507734.tif 000013
2004507734.tif 000014
2004507734.tif 000015
2004507734.tif 000016
2004507734.tif 000017
2004507734.tif 000018
2004507734.tif 000019
2004507734.tif 000020
2004507734.tif 000021
2004507734.tif 000022
2004507734.tif 000023
2004507734.tif 000024
2004507734.tif 000025
2004507734.tif 000026
2004507734.tif 000027
【手続補正書】
【提出日】平成14年9月5日(2002.9.5)
【手続補正１】
【補正対象書類名】明細書
【補正対象項目名】特許請求の範囲
【補正方法】変更
【補正の内容】
【特許請求の範囲】
【請求項１】
導電性物体中に渦電流を誘導する送信コイルと、少なくとも１つの受信器を有し、磁場の強度又は磁場の強度変化を指示する信号を供給する受信システムとを備えたプローブを用いて異常の存在を検出するための導電性物体の検査方法において、
（ａ）前記物体の、プローブに最も近い表面上に１組の検査すべき点を選択する工程、
（ｂ）該組から最初の検査点を選択する工程、
（ｃ）該選択された検査点に前記プローブを置き、前記物体中に一時的な渦電流を誘導し、次いで、該渦電流が前記物体の遠い表面に拡散する前に前記受信器の信号の振幅に関する特性値Φを測定し、これによりリフトオフ及び渦電流の半径の関数とする工程、
（ｄ）前記組から次の検査点を選択し、全ての検査点について順番が回って来るまで工程（ｃ）を繰り返す工程、及び
（ｅ）特性値Φが標準と有意に異なるときは、検査点に異常が存在するものと推定する工程
を含む前記方法。
【請求項２】
前記受信システムが単独の受信器からなり、前記特性値Φを測定する工程が、該受信器の信号の記録Ｖ（ｔ）を作って、前記特性値を平均振幅
【数１】
2004507734.tif 000028
（但し、ｔ０ は初期時間であり、Δは試料間隔であり、またｎは該求和に含まれる試料の数である）
として測定する工程を含む請求項１に記載の方法。
【請求項３】
前記受信システムが受信コイルからなり、前記信号が渦電流の変化を表し、かつＶが該受信コイル端部の電圧である請求項２に記載の方法。
【請求項４】
導電性物体中に渦電流を誘導する送信コイルと、少なくとも２つの隔離された受信器を有し、磁場の強度又は磁場の強度変化を指示する信号を供給する受信システムとを備えたプローブを用いて異常の存在を検出するための導電性物体の検査方法において、
（ａ）前記物体の、プローブに最も近い表面上に１組の検査すべき点を選択する工程、
（ｂ）該組から最初の検査点を選択する工程、
（ｃ）該選択された検査点に前記プローブを置き、前記物体中に一時的な渦電流を誘導し、次いで、該渦電流によって発生した電磁場の勾配に関する特性値Φを測定し、これによりリフトオフ及び渦電流の半径の関数とする工程、
（ｄ）前記組から次の検査点を選択し、全ての検査点について順番が回って来るまで工程（ｃ）を繰り返す工程、及び
（ｅ）特性値Φが標準と有意に異なるときは、検査点に異常が存在するものと推定する工程
を含む前記方法。
【請求項５】
前記物体での渦電流の誘導が該物体での一時的な渦電流の誘導であり、かつ特性値を測定する工程が、経時に従って各受信器の信号〔但し、Ｖｕ （ｔ）は時間（ｔ）経過時の第一受信器の信号であり、またＶ１ （ｔ）は時間（ｔ）経過時の第二受信器の信号である〕を記録し、次いで特性値
【数２】
2004507734.tif 000029
（但し、ｔ０ は初期時間であり、Δは試料間隔であり、またｎは該求和に含まれる試料の数である）
を測定する工程からなる請求項４に記載の方法。
【請求項６】
前記受信システムが第一受信コイルと、該第一受信コイルとは隔離された第二受信コイルとからなり、前記信号が渦電流の変化を表示し、かつＶｕ 及びＶ１ がそれぞれ第一受信コイル及び第二受信コイル端部の電圧である請求項４又は５に記載の方法。
【手続補正２】
【補正対象書類名】明細書
【補正対象項目名】０００４
【補正方法】変更
【補正の内容】
【０００４】
本発明の目的は、異常を突き止めるための物体の改良検査方法を提供することである。他の目的は、現在の検査方法よりも速く、しかも物体での電磁特性の変化に影響され難い検査方法を提供することである。


【手続補正３】
【補正対象書類名】明細書
【補正対象項目名】０００５
【補正方法】変更
【補正の内容】
【０００５】
この目的のため本発明の検査方法は、導電性物体中に渦電流を誘導する送信コイルと、少なくとも１つの受信器を有し、磁場の強度又は磁場の強度変化を指示する信号を供給する受信システムとを備えたプローブを用いて異常の存在を検出するための導電性物体の検査方法において、
（ａ）前記物体の、プローブに最も近い表面上に１組の検査すべき点を選択する工程、
（ｂ）該組から最初の検査点を選択する工程、
（ｃ）該選択された検査点に前記プローブを置き、前記物体中に一時的な渦電流を誘導し、次いで、該渦電流が物体の遠い表面に拡散する前に前記受信器の信号の振幅に関する特性値Φを測定し、これによりリフトオフ及び渦電流の半径の関数とする工程、
（ｄ）前記組から次の検査点を選択し、全ての検査点について順番が回ってくるまで工程（ｃ）を繰り返す工程、及び
（ｅ）特性値Φが標準と有意に異なるときは、検査点に異常が存在することを推定する工程
を含む。


【手続補正４】
【補正対象書類名】明細書
【補正対象項目名】０００６
【補正方法】変更
【補正の内容】
【０００６】
本発明は更に、導電性物体中に渦電流を誘導する送信コイルと、少なくとも２つの隔離された受信器を有し、磁場の強度又は磁場の強度変化を指示する信号を供給する受信システムとを備えたプローブを用いて異常の存在を検出するための導電性物体の検査方法において、
（ａ）前記物体の、プローブに最も近い表面上に１組の検査すべき点を選択する工程、
（ｂ）該組から最初の検査点を選択する工程、
（ｃ）該選択された検査点に前記プローブを置き、前記物体中に一時的な渦電流を誘導し、次いで、該渦電流によって発生した電磁場の勾配に関する特性値Φを測定し、これによりリフトオフ及び渦電流の半径の関数とする工程、
（ｄ）前記組から次の検査点を選択し、全ての検査点について順番が回って来るまで工程（ｃ）を繰り返す工程、及び
（ｅ）特性値Φが標準と有意に異なる時は、検査点に異常が存在するものと推定する工程
を含む前記検査方法を提供する。
【手続補正５】
【補正対象書類名】明細書
【補正対象項目名】０００７
【補正方法】変更
【補正の内容】
【０００７】
【実施例】
本発明を添付図面について例示により更に詳細に説明する。
図１は、本発明の第一実施態様を示す。
図２は、プローブの位置の関数としての特性値の記録を示す。
図３ａは、異常のない物体中に発生した渦電流を概略的に示す。
図３ｂは、小さい異常を有する物体中に発生した渦電流を概略的に示す。
図３ｃは、大きな異常を有する物体中に発生した渦電流を概略的に示す。
また図４は、物体に沿った位置の関数としてのリフトオフ（ｌｉｆｔ−ｏｆｆ）を示す図である。


【手続補正６】
【補正対象書類名】明細書
【補正対象項目名】０００８
【補正方法】変更
【補正の内容】
【０００８】
図１について述べると、導電材料の物体は参照符号２で示し、またプローブは参照符号４で示した。プローブ４は、電磁場を送信する送信コイル６及び受信器８を有する。
送信コイル６は、該送信コイルを付勢する装置（図示せず）に接続し、また受信システムは該受信システムからの信号を記録する装置（図示せず）に接続している。


【手続補正７】
【補正対象書類名】明細書
【補正対象項目名】０００９
【補正方法】変更
【補正の内容】
【０００９】
プローブ４と近い表面１２間の距離はＬで示し、プローブ４と物体２間の空間は例えば近い表面１２を覆う絶縁層（図示せず）で充填されている。距離Ｌはリフトオフとも呼ばれる。
物体２は、参照符号１５で示した近い表面１２に１つの異常と、参照符号２０で示した遠い表面１８に第二の異常との２つの異常を持っている。




【国際調査報告】
2004507734.tif 000030
2004507734.tif 000031